(57)【要約】【課題】ＰｏＣ通信において発信者の入力メッセージ情報を着側端末に対して応答前に表示させることができると共に、発側端末では着側端末においてメッセージが表示されたか否か正確に把握することができるようにすること。【解決手段】ＰｏＣ通信の呼接続時に、着移動機の着信画面に発移動機が発信時にＩＮＶＩＴＥ信号に付加したメッセージ情報を表示させる呼制御システムである。着側ＳＩＰサーバ４−２が、着移動機を着信先としたメッセージ情報の付加されたＩＮＶＩＴＥ信号を受信し、当該着側ＳＩＰサーバ４−２が着移動機の対応機能を判定した上で当該着移動機へ前記ＩＮＶＩＴＥ信号を着信させる。着移動機の着信画面にメッセージ情報が表示されたか否かを示す送達結果信号を当該着移動機又は着側ＳＩＰサーバ４−２から発側ＳＩＰサーバ４−１経由で発移動機へ通知する【選択図】図３
2008136088.tif 000002
【特許請求の範囲】
【請求項１】
発信端末である発移動機から着信端末である複数の着移動機を指定したＩＮＶＩＴＥ信号を、前記発移動機を配下に持つ発側ＳＩＰサーバで受信し、前記着移動機を配下に持つ着側ＳＩＰサーバから前記着移動機にＩＮＶＩＴＥ信号を着信させて前記発移動機と前記各着移動機との呼接続を行う呼制御システムにおいて、
前記着側ＳＩＰサーバが、当該着移動機を着信先としたメッセージ情報の付加されたＩＮＶＩＴＥ信号を受信すると着移動機の対応機能を判定した上で当該ＩＮＶＩＴＥ信号を前記着移動機へ着信させ、当該着移動機の着信画面に前記メッセージ情報が表示されたか否かを示す送達結果信号を当該着移動機又は前記着側ＳＩＰサーバから前記発側ＳＩＰサーバ経由で前記発移動機へ通知することを特徴とする呼制御システム。
【請求項２】
前記着側ＳＩＰサーバは、配下の移動端末がＩＮＶＩＴＥ信号に付加されたメッセージ情報を着信画面に表示可能か否かを示す対応機能情報を保持し、前記配下の移動端末である着移動機を着信先としメッセージ情報の付加されたＩＮＶＩＴＥ信号を受信すると、前記対応機能情報に基づいて当該着移動機がメッセージ情報を表示可能か否か判定し、表示不可である場合は当該着移動機の着信画面に前記メッセージ情報が表示されたか否かを示す送達結果信号を、前記発側ＳＩＰサーバへ送信することを特徴とする請求項１記載の呼制御システム。
【請求項３】
前記着側ＳＩＰサーバは、前記対応機能情報に基づいて当該着移動機がメッセージ情報を表示可能か否か判定し、表示可である場合はＩＮＶＩＴＥ信号を前記着移動機に着信させ、
前記着移動機がＩＮＶＩＴＥ信号に付加されたメッセージ情報を着信画面に表示するか否か判断して当該メッセージ情報を着信画面に表示し又は表示しなかったことを示す送達結果信号を送信し、
前記発側ＳＩＰサーバは、前記着移動機が送信した送達結果信号を受信して、前記発移動機に対して前記送達結果を通知することを特徴とする請求項２記載の呼制御システム。
【請求項４】
前記発側ＳＩＰサーバは、前記各着移動機の呼出し中に前記発移動機に対して前記送達結果信号を通知して送達結果を表示させることを特徴とする請求項１から請求項３のいずれかに記載の呼制御システム。
【請求項５】
前記発側ＳＩＰサーバは、前記着移動機が送信した送達結果信号又は前記着側ＳＩＰサーバが送信した送達結果信号を受信し、この受信した送達結果信号がメッセージ情報を表示したことを示す送達結果の場合に付加課金を行うことを特徴とする請求項１から請求項４のいずれかに記載の呼制御システム。
【請求項６】
ＰｏＣ(Push-to-Talk over Cellular)通信の呼接続時に、着信端末となる着移動機の着信画面に、発信端末となる発移動機が発信時にＩＮＶＩＴＥ信号に付加したメッセージ情報を表示させるメッセージ送信方法であって、
前記着移動機を配下に持つ着側ＳＩＰサーバが、当該着移動機を着信先としたメッセージ情報の付加されたＩＮＶＩＴＥ信号を受信し、当該着側ＳＩＰサーバが着移動機の対応機能を判定した上で当該着移動機へ前記ＩＮＶＩＴＥ信号を着信させ、当該着移動機の着信画面に前記メッセージ情報が表示されたか否かを示す送達結果信号を当該着移動機又は前記着側ＳＩＰサーバから、前記発移動機を配下に持つ発側ＳＩＰサーバ経由で前記発移動機へ通知することを特徴とするメッセージ送信方法。
【請求項７】
前記着側ＳＩＰサーバにおいて、配下の移動端末からＩＮＶＩＴＥ信号に付加されたメッセージ情報を着信画面に表示可能か否かを示す対応機能を収集することを特徴とする請求項６記載のメッセージ送信方法。
【発明の詳細な説明】
【技術分野】
【０００１】
本発明は、移動端末を用いた半二重型１対多通信であるプッシュ・ツー・トーク（以下、「ＰＴＴ」という）通話をセルラーシステム上で行うＰｏＣ(Push-to-Talk over Cellular)通信において発信者の入力メッセージ情報を着信者の応答前に着信移動端末に表示させる呼制御システム及びメッセージ送信方法に関する。
【背景技術】
【０００２】
トランシーバや業務用無線のように話者がボタンを押すことで音声を交互にやり取りする通話機能を携帯電話で実現するものとして「Push-to-Talk over Cellular」（ＰｏＣ）と呼ばれる技術がある。ＰｏＣ通信に基づいたＰＴＴ通話サービスは、パケット交換のベストエフォート型音声サービスで実現することができ、データと音声を同一パケット回線で多重することにより、会話をしながらユーザの発言権取得状態に代表されるプレゼンス情報を確認することを可能にしている。
【０００３】
一方、携帯電話の電話発信時において、着信通知情報である文字情報を発信信号に付加することで、着信側の携帯電話において着信応答前に当該文字情報を表示するサービスが提案されている（例えば、特許文献１参照）。ＰＴＴはサービスの特性上、参加が必須でないメンバーに対しても呼出しを行う可能性があるので、ＰＴＴサービスにおいても特許文献１と同様のサービスを提供できれば、着信側のメンバーは着信応答前に表示される文字情報を判断材料として参加／不参加を判断することができる。
【０００４】
なお、ＩＰ電話システムでは、発信信号又は呼出信号に発信側の文字情報等を付加して受信端末に表示させる方法が提案されている（例えば、特許文献２参照）。かかるＩＰ電話システムは、発信側携帯電話が発信する発信信号又は呼出信号に発信側のエージェント情報をＳＩＰ拡張パラメータとして付加して送信し、受信側で当該エージェント情報を表示するエージェント情報とは、相手側に送信画像を表示し、音声を出力するためのプログラム及び簡易メッセージを含む。
【特許文献１】特開２００３−１０１６１５号公報
【特許文献２】特開２００３−１８８９２号公報
【発明の開示】
【発明が解決しようとする課題】
【０００５】
ところで、ＯＭＡ(open mobile alliance)の標準仕様を基にしたＰｏＣは、３ＧＰＰ(3rd generation partnership project)が「ＩＭＳ」(IP multimedia subsystem)と呼ぶ携帯電話用マルティメディア・サービス・プラットフォームの一つのアプリケーションに位置づけられており、ＩＭＳは携帯電話用のＩＰネットワーク上でＳＩＰによる呼制御を行うようになっている。ＰｏＣ通信においても発信端末が発信時に入力した文字情報をＳＩＰ拡張パラメータとしてＳＩＰコマンドに付加して送信することが考えられる。
【０００６】
しかしながら、特許文献２記載のＩＰ電話システムは、１対１のＳＩＰ通信において着信側がＳＩＰ拡張パラメータとして付加された文字情報を表示できることが前提となっており、１対多通信を基本とし種々な種類の携帯電話がメンバーになる可能性の高いＰｏＣ通信にそのまま適用すると、発信側では着側端末においてメッセージが表示されたか否か正確に把握することができない状況になるといった問題がある。
【０００７】
例えば、着側端末の機能を考慮せずに全ての着側端末へメッセージ付きＩＮＶＩＴＥ信号を送信した場合、メッセージ付きＩＮＶＩＴＥ信号のメッセージ部分まで解釈しようとした着側端末ではエラーが発生してしまう可能性がある。
【０００８】
また、ＰＴＴ通信には対応しているがメッセージの表示には対応していない着側端末の場合、メッセージを解釈しようとしてエラーが生じるか又はＩＮＶＩＴＥ信号に反応してメッセージ非表示のまま暫定応答信号を返信する可能性がある。暫定応答信号を返した場合には、着側端末においてメッセージ表示されたものと発側端末が誤認識する可能性がある。
【０００９】
また、メッセージ表示した着側端末がメッセージ表示したか否かを示す情報（送達ＯＫ／ＮＧ）を、着側の応答前に着側移動体から発側移動体へどのようにして伝達するかが問題となる。たとえば、暫定応答信号の一つである１８０  Ｒｉｎｇｉｎｇ信号に付加した場合には最初に１８０  Ｒｉｎｇｉｎｇ信号を返信した着側端末以外からは送達ＯＫ／ＮＧが伝達されない可能性がある。これは、１８０  Ｒｉｎｇｉｎｇ信号は発側端末には１つだけ出力されれば良いので、発側端末に対しては最初の１つしか１８０  Ｒｉｎｇｉｎｇ信号を通知しないシステム構成となっているからである。また、ＰｏＣは、マニュアルアンサーモードとオートマティックアンサーモードの２つのアンサーモードを定義している。マニュアルアンサーモードでは、着側端末においてセッション確立のためのＩＮＶＩＴＥ信号を受信すると、１８０  Ｒｉｎｇｉｎｇ信号を返信すると共に鳴動して着信をユーザに知らせる。一方、オートマティックアンサーモードでは、ユーザが予め端末にオートマティックアンサーモードを設定しておき、セッション確立のためのＩＮＶＩＴＥ信号を受信すると、最終応答として直接２００  ＯＫを返信すると共に自動的にＰｏＣ通信を開始する。複数の着側端末にマニュアルアンサーモードとオートマティックアンサーモードとが混在していた場合、オートマティックアンサーモードが設定されている着側端末は１８０  Ｒｉｎｇｉｎｇ信号を返さずに２００  ＯＫを直接返すので、この場合には１８０  Ｒｉｎｇｉｎｇ信号に送達ＯＫ／ＮＧを付加すること自体が不可能である。
【００１０】
本発明は、ＰＴＴ通信において発信者の入力メッセージ情報を着側端末に対して応答前に表示させることができると共に、発側端末では着側端末においてメッセージが表示されたか否か正確に把握することができる呼制御システム及びメッセージ送信方法を提供することを目的とする。
【課題を解決するための手段】
【００１１】
本発明の呼制御システムは、発信端末である発移動機から着信端末である複数の着移動機を指定したＩＮＶＩＴＥ信号を、前記発移動機を配下に持つ発側ＳＩＰサーバで受信し、前記着移動機を配下に持つ着側ＳＩＰサーバから前記着移動機にＩＮＶＩＴＥ信号を着信させて前記発移動機と前記各着移動機との呼接続を行う呼制御システムにおいて、前記着側ＳＩＰサーバが、当該着移動機を着信先としたメッセージ情報の付加されたＩＮＶＩＴＥ信号を受信すると着移動機の対応機能を判定した上で当該ＩＮＶＩＴＥ信号を前記着移動機へ着信させ、当該着移動機の着信画面に前記メッセージ情報が表示されたか否かを示す送達結果信号を当該着移動機又は前記着側ＳＩＰサーバから前記発側ＳＩＰサーバ経由で前記発移動機へ通知することを特徴とする。
【００１２】
この構成によれば、着側ＳＩＰサーバが着移動機の対応機能を判定した上で当該ＩＮＶＩＴＥ信号を前記着移動機へ着信させるので、メッセージ情報付きＩＮＶＩＴＥ信号に対して対応不能な着移動機の場合には着側ＳＩＰサーバにおいて対処することができ、種々の機能の移動端末が対象であったとしても各着移動機でメッセージ情報が表示されたか否かを示す送達結果信号を正確に発移動機へ送信することができる。
【００１３】
また本発明は、上記呼制御システムにおいて、前記着側ＳＩＰサーバは、配下の移動端末がＩＮＶＩＴＥ信号に付加されたメッセージ情報を着信画面に表示可能か否かを示す対応機能情報を保持し、前記配下の移動端末である着移動機を着信先としメッセージ情報の付加されたＩＮＶＩＴＥ信号を受信すると、前記対応機能情報に基づいて当該着移動機がメッセージ情報を表示可能か否か判定し、表示不可である場合は当該着移動機の着信画面に前記メッセージ情報が表示されたか否かを示す送達結果信号を、前記発側ＳＩＰサーバへ送信することを特徴とする。
【００１４】
この構成により、着側ＳＩＰサーバは、配下の移動端末がＩＮＶＩＴＥ信号に付加されたメッセージ情報を着信画面に表示可能か否かを示す対応機能情報を保持しているので、着移動機がメッセージ情報を表示可能か否か迅速に判定することができる。
【００１５】
また本発明は、上記呼制御システムにおいて、前記着側ＳＩＰサーバは、前記対応機能情報に基づいて当該着移動機がメッセージ情報を表示可能か否か判定し、表示可である場合はＩＮＶＩＴＥ信号を前記着移動機に着信させ、前記着移動機がＩＮＶＩＴＥ信号に付加されたメッセージ情報を着信画面に表示するか否か判断して当該メッセージ情報を着信画面に表示し又は表示しなかったことを示す送達結果信号を送信し、前記発側ＳＩＰサーバは、前記着移動機が送信した送達結果信号を受信して、前記発移動機に対して前記送達結果を通知することを特徴とする。
【００１６】
この構成により、メッセージ情報を表示可能である着移動機にだけメッセージ情報付きＩＮＶＩＴＥ信号を着信させることができ、この場合は着移動機がメッセージ情報を着信画面に表示させた否かを示す送達結果信号を発信するので、正しい送達結果信号が発移動機に通知されることとなる。
【００１７】
また本発明は、上記呼制御システムにおいて、前記発側ＳＩＰサーバは、前記各着移動機の呼出し中に前記発移動機に対して前記送達結果信号を通知して送達結果を表示させることを特徴とする。
【００１８】
この構成により、発移動機に対して着移動機の呼出し中に送達結果信号が通知されるので、発移動機の端末画面に呼出し中の状態で各着移動機からの送達結果をリアルタイムで表示することができる。
【００１９】
また本発明は、上記呼制御システムにおいて、前記発側ＳＩＰサーバは、前記着移動機が送信した送達結果信号又は前記着側ＳＩＰサーバが送信した送達結果信号を受信し、この受信した送達結果信号がメッセージ情報を表示したことを示す送達結果の場合に付加課金を行うことを特徴とする。
【００２０】
この構成により、送達結果信号がメッセージ情報を表示したことを示す送達結果の場合に付加課金を行うので、メッセージ情報の表示に対して正確に課金を行うことができる。
【００２１】
また本発明のメッセージ送信方法は、ＰｏＣ(Push-to-Talk  over  Cellular)通信の呼接続時に、着信端末となる着移動機の着信画面に、発信端末となる発移動機が発信時にＩＮＶＩＴＥ信号に付加したメッセージ情報を表示させるメッセージ送信方法であって、前記着移動機を配下に持つ着側ＳＩＰサーバが、当該着移動機を着信先としたメッセージ情報の付加されたＩＮＶＩＴＥ信号を受信し、当該着側ＳＩＰサーバが着移動機の対応機能を判定した上で当該着移動機へ前記ＩＮＶＩＴＥ信号を着信させ、当該着移動機の着信画面に前記メッセージ情報が表示されたか否かを示す送達結果信号を当該着移動機又は前記着側ＳＩＰサーバから、前記発移動機を配下に持つ発側ＳＩＰサーバ経由で前記発移動機へ通知することを特徴とする。
【００２２】
また本発明は、上記メッセージ送信方法において、前記着側ＳＩＰサーバにおいて、配下の移動端末からＩＮＶＩＴＥ信号に付加されたメッセージ情報を着信画面に表示可能か否かを示す対応機能を収集することを特徴とする。
【００２３】
この構成により、着側ＳＩＰサーバが配下の移動端末からＩＮＶＩＴＥ信号に付加されたメッセージ情報を着信画面に表示可能か否かを示す対応機能を収集するので、配下の移動端末が変化する場合であっても常に正確な対応機能を把握することができる。
【発明の効果】
【００２４】
本発明によれば、ＰｏＣ通信において発信者の入力メッセージ情報を着側端末に対して応答前に表示させることができると共に、発側端末では着側端末においてメッセージが表示されたか否か正確に把握することができる。
【発明を実施するための最良の形態】
【００２５】
以下、本発明の実施の形態について添付図面を参照して詳細に説明する。
図１はＰＴＴ通話サービスを提供する移動体通信システムのネットワーク構成図である。ＰｏＣ端末１は、ＳＩＰ呼制御、プレゼンス情報制御、発言権制御、音声エンコード及びデコーダ等の処理を行うモジュール（ＰｏＣエンジン）を搭載し、他の移動端末との間でＰｏＣ通信を行うことのできる移動端末である。本実施の形態では、着信側端末となる着移動機の着信画面に表示させる任意のメッセージ情報を、発信側端末となる発移動機においてＰＴＴメンバー選択時に入力できるようにしている。
【００２６】
無線アクセス網２は複数の基地局（ＢＴＳ）で構成されており、ＰｏＣ端末１及びＰｏＣ通信非対応の移動端末が無線アクセス網２からＲＮＣ(Radio Network Controller)３を介してＳＩＰサーバ４に接続できるように構成されている。
【００２７】
ＳＩＰサーバ４は、ＰｏＣ端末１間のＳＩＰ呼制御及びパケット伝達制御を行う部分であり、本実施の形態ではＧＧＳＮ(Gateway  General  packet  radio  service  Support  Node)／ＳＧＳＮ(Serving  General  packet  radio  service  Support  Node)５、ＣＳＣＦ（Call Session Control Function）６、ＭＲＦＣ(Media Resource Function Controller)７、ＭＲＦＰ（Media Resource Function Processor）８及びＨＳＳ(Home Subscriber Server)９等の構成要素で構成されているが、後述するＰｏＣ呼制御等を実現できるのであれば上記構成要素に限定されない。
【００２８】
ＧＧＳＮ／ＳＧＳＮ５は、ゲートウェイ機能並びに無線パケットの統合処理部である。ＣＳＣＦ６は、ＳＩＰ登録、ＳＩＰ転送（ＰｏＣ呼制御）、ＳＩＰアプリケーション振分け、ＰｏＣ着信要求等の処理を実行する部分である。ＭＲＦＣ７は、ＳＩＰ終端、発言権課金制御等の処理を行う部分である。本実施の形態ではメッセージ情報の表示に対しての課金も行うものとする。ＭＲＦＰ８は、ＰｏＣ通信での発言権管理制御、パケット複製制御等の処理を行う部分である。ＨＳＳ９は、加入者管理情報を管理する部分である。
【００２９】
ＰｏＣサーバ１１は、認証処理を行うと共にネットワーク電話帳の提供等の所定のアプリケーションを提供するサーバであり、ＰｏＣ通信に関する機能としてメンバー、グループリスト管理及びネットワーク電話帳を提供する。本実施の形態では、ＰｏＣサーバ１１を、ＡＳ（Application Server）１２、ＧＬＭＳ１３及びＷｅｂ１４等から構成するが、このような構成要素に限定されるのでは無い。ＡＳ１２は、ＰｏＣ通信に関するアプリケーションであり、グループＩＤ管理、ネットワーク電話帳、プレゼンス問合せ・通知の処理を行う。ＧＬＭＳ１３は、メンバー、グループリストの管理を行う部分である。Ｗｅｂ１４は、ＷｅｂカスタマコントロールＩ／Ｆとして機能する部分であり、ＷＰＣＧ１５によるプロトコル変換を経由してＳＩＰサーバ４と通信する。
【００３０】
上記ＳＩＰサーバ４において、ＭＲＦＣ７／ＭＲＦＰ８は、ユーザエージェント・サーバとして発移動機からＣＳＣＦ６経由でＳＩＰリクエストを受け取り、着移動機に対してはユーザエージェント・クライアントとしてＳＩＰリクエストを送信する。ＣＳＣＦ６は、ネットワークにおけるＳＩＰ呼制御を担っており、ＰｏＣ端末１から送出されたＳＩＰメッセージを受信すると、加入者情報を管理するＨＳＳ９からダウンロードした情報を元に各アプリケーションサーバへの振り分け処理を実施する。例えば、認証処理、ネットワーク電話帳の提供といったアプリケーションであればＡＳ１２へ振り分けることになる。
【００３１】
図２は、広域をカバーする無線アクセス網２と複数のＳＩＰサーバ４−１〜４−ｎとの対応関係を示すネットワーク構成図である。複数のＳＩＰサーバ４−１〜４−ｎが各地に設置されており、携帯電話通信網２０を介して相互に接続されるように構成されている。例えば、端末Ａが発信端末で、端末Ｂ，Ｃが着信端末の場合、ＳＩＰサーバ４−１は発信端末（Ａ）を配下に持つ発側ＳＩＰサーバとなり、着信端末（Ｂ）（Ｃ）を配下に持つＳＩＰサーバ４−２、４−ｎが着側ＳＩＰサーバとなる。
【００３２】
次に、以上のように構成された本実施の形態の動作について説明する。
図３はＰｏＣ端末１となる発移動機（ＵＥ１）からメンバーに対してＰＴＴ発信を行い、着移動機（ＵＥ２）等において着信画面にメッセージ表示したか否かを示す送達結果が発移動機（ＵＥ１）へ通知されるまでのシーケンスを示している。
【００３３】
なお、発移動機（ＵＥ１）はＳＩＰサーバ４−１の配下にあり、着移動機（ＵＥ２）はＳＩＰサーバ４−２、着移動機（ＵＥ３）はＳＩＰサーバ４−３の配下にあるものとする。また、説明の便宜上、ＳＩＰサーバ４−１におけるＣＳＣＦ６をＣＳＣＦ（１）、ＭＲＦＣ７／ＭＲＦＰ８をＭＲＦと記している。同様に、ＳＩＰサーバ４−２におけるＣＳＣＦ６をＣＳＣＦ（２）、ＳＩＰサーバ４−３におけるＣＳＣＦ６をＣＳＣＦ（３）として記している。
【００３４】
発移動機（ＵＥ１）において、電話帳に登録されているメンバーリストまたはグループリストを表示し、リストから複数の通話相手を選択し、さらに通話相手の着信画面に表示させたいメッセージ情報を入力した後、ＰＴＴボタンを押下することで発信処理が行われる。ここで、入力されるメッセージ情報は文字情報に限定されないが、電話目的、緊急性、重要性等を伝える情報であるものとする。
【００３５】
発移動機（ＵＥ１）は、発信処理においてＩＮＶＩＴＥ信号に拡張パラメータとして上記メッセージ情報を設定し（ステップＳ１）、選択した複数の通話相手の宛先はＰＴＴ用のユーザアドレスＳＩＰＵＲＬに変換される。通話相手として選択された着移動機のユーザアドレスＳＩＰＵＲＬが最終宛先に設定されたメッセージ情報付きＩＮＶＩＴＥ信号が基地局２に対して送信される。
【００３６】
発移動機（ＵＥ１）から送信されたメッセージ情報付きＩＮＶＩＴＥ信号は無線アクセス網２及びＲＮＣ３を経由して発側ＳＩＰサーバ４−１に送られる。発側ＳＩＰサーバ４−１では、発側ＣＳＣＦ（１）がメッセージ情報付きＩＮＶＩＴＥ信号を受け付け、発移動機（ＵＥ１）に対して１００  Ｔｒｙｉｎｇ信号の送信を開始する。
【００３７】
一方、発側ＣＳＣＦ（１）は、メッセージ情報付きＩＮＶＩＴＥ信号をＰｏＣサーバ１１のＡＳ１２へ転送して認証処理を要求する。さらに、認証処理が完了すると、ＭＲＦへメッセージ情報付きＩＮＶＩＴＥ信号を転送する。
【００３８】
発側ＳＩＰサーバ４−１のＭＲＦでは、ＭＲＦＣ７がメッセージ情報付きＩＮＶＩＴＥ信号を受信し、呼出し先となる着移動機に対するメッセージ情報付きＩＮＶＩＴＥ信号を生成する。このとき、１対多通信であるＰＴＴでは上記した通り複数の通話相手を宛先に設定している可能性があるので、そのような場合はＭＲＦＣ７が複数のメッセージ情報付きＩＮＶＩＴＥ信号を生成する。このために、ＭＲＦＣ７は発側ＣＳＣＦ（１）から受信したメッセージ情報付きＩＮＶＩＴＥ信号からメッセージ情報を取り出してメモリに保存する（ステップＴ１）。発移動機（ＵＥ１）において選択されている複数の通話先の中から１つ選択してＩＮＶＩＴＥ信号の宛先に設定し、さらにステップＴ１で保存したメッセージ情報を読み出して当該ＩＮＶＩＴＥ信号の拡張パラメータに設定する（ステップＴ２）。例えば、ＩＮＶＩＴＥ信号の宛先が着移動機（ＵＥ２）であれば、着移動機（ＵＥ２）に対するメッセージ情報付きＩＮＶＩＴＥ信号が生成されたことになる。同様にして、全ての宛先についてメッセージ情報付きＩＮＶＩＴＥ信号を生成する（複製）。なお、図３では着移動機（ＵＥ２）に対するメッセージ情報付きＩＮＶＩＴＥ信号だけが例示されている。このようにして最終宛先が特定されたメッセージ情報付きＩＮＶＩＴＥ信号は発側ＣＳＣＦ（１）へ転送される。
【００３９】
発側ＣＳＣＦ（１）は、ＭＲＦからメッセージ情報付きＩＮＶＩＴＥ信号を受信すると、ＭＲＦに対しては１００  Ｔｒｙｉｎｇ信号を送信する一方で、当該メッセージ情報付きＩＮＶＩＴＥ信号の宛先となる着移動機を配下に持つＳＩＰサーバ４に対して当該メッセージ情報付きＩＮＶＩＴＥ信号を転送する。図３では着移動機（ＵＥ２）が配下にある着側ＳＩＰサーバ４−２に対して当該メッセージ情報付きＩＮＶＩＴＥ信号を転送している。
【００４０】
着側ＳＩＰサーバ４−２では、着側ＣＳＣＦ（２）がメッセージ情報付きＩＮＶＩＴＥ信号を受信すると、発側ＣＳＣＦ（１）に対して１００  Ｔｒｙｉｎｇ信号を送信する。さらに、着側ＣＳＣＦ（２）は通話先に指定されている着移動機（ＵＥ２）の対応機能を判定する（ステップＲ１）。
【００４１】
ここで、着側ＣＳＣＦ６での着移動機の対応機能判定方法について説明する。
各移動端末１は定期的に着側ＣＳＣＦ６にアクセスして移動機対応機能情報を更新する。着側ＣＳＣＦ６は、移動端末の対応機能を図５に示すビット列情報（以下、「対応機能表」という）で管理する。例えば、上位ビットから順番に「プッシュトーク対応可否」「プッシュトーク着信時のメッセージ表示対応可否」「○○サービス対応可否」をそれぞれ１ビットで管理する。同図では、「１」の場合が対応可、「０」の場合が非対応としている。着側ＣＳＣＦ６は、配下の移動端末について図５に示す対応機能表をそれぞれ作成しておき、当該対応機能表を参照することで着移動機の対応機能を迅速に判定するものとする。なお、図５に示す対応機能表を用いる方式以外の方法によって着移動機の対応機能を判定するようにしても良い。
【００４２】
着移動機が配下にいる着側ＳＩＰサーバ４−２では、着側ＣＳＣＦ（２）が着移動機（ＵＥ２）の対応機能表から当該着移動機の対応機能を判定する（ステップＲ１）。着移動機（ＵＥ２）が「プッシュトーク着信時のメッセージ表示対応可」の場合、メッセージ付きＩＮＶＩＴＥ信号を着移動機（ＵＥ２）へ送信する。
【００４３】
着移動機（ＵＥ２）は、メッセージ付きＩＮＶＩＴＥ信号を受信すると、ＩＮＶＩＴＥ信号を解釈して１００  Ｔｒｉｎｇ信号を着側ＣＳＣＦ（２）へ返す。さらに、着移動機（ＵＥ２）は、当該端末に事前設定されている設定情報を確認する（ステップＱ１）。着信時に端末画面に表示される着信画面に、発信者のメッセージ情報を表示することを許可する設定内容「着信時メッセージ表示可」になっていれば、メッセージ付きＩＮＶＩＴＥ信号に付加されているメッセージ情報を取り出して着信画面に表示させる（ステップＱ２）。そして、着信画面にメッセージ情報を表示したことを示す送達結果信号「送達結果ＯＫ」を、ＮＯＴＩＦＹ信号を用いて発側ＳＩＰサーバ４−１へ送信する（ステップＱ３）。
【００４４】
発側ＳＩＰサーバ４−１のＭＲＦは、着移動機（ＵＥ２）からのＮＯＴＩＦＹ信号により着移動機において着信画面にメッセージ情報が表示された否かを示す送達結果が通知される。ＭＲＦは、通知された送達結果が「送達結果ＯＫ」であればメッセージ情報を表示したことに対する費用の請求を発生させる（ステップＴ３）。ＰＴＴでは多数のメンバーの着移動機から送達結果が返信されてくるが、請求発生は１回のみとする。
【００４５】
また、発側ＳＩＰサーバ４−１のＭＲＦは、送達結果の付加されたＮＯＴＩＦＹ信号を発移動機（ＵＥ１）へ送信する。
【００４６】
発移動機（ＵＥ１）は、発側ＳＩＰサーバ４−１のＭＲＦから送達結果を通知するＮＯＴＩＦＹ信号を受信した段階では、端末画面に呼出し中であることを示す画像が表示されている。発移動機（ＵＥ１）は、通知された送達結果を認識して、呼出し中の端末画面にメッセージ情報に関する送達結果を表示させる。多数のメンバーに関する送達結果画面の構成について後述する。
【００４７】
なお、ＩＮＶＩＴＥ信号を受信した着移動機（ＵＥ２）は送達結果送信後に、当該着移動機を鳴動させると共に１８０  Ｒｉｎｇｉｎｇ信号を着側ＣＳＣＦ（２）へ返す。着側ＣＳＣＦ（２）は１８０  Ｒｉｎｇｉｎｇ信号を発側ＳＩＰサーバ４−１の発側ＣＳＣＦ（１）へ転送して呼び出し中であることを伝える。さらに、ＭＲＦへ転送された後、発側ＣＳＣＦ（１）から発移動機（ＵＥ１）へ１８０  Ｒｉｎｇｉｎｇ信号が伝えられる。これにより発移動機（ＵＥ１）の端末画面には着移動機（ＵＥ２）を呼出し中であることが表示される。
【００４８】
発側ＣＳＣＦ（１）から発移動機（ＵＥ１）へ送信される１８０  Ｒｉｎｇｉｎｇ信号に対して送達結果を付加してしまうと、最初に受信される送達結果しか発移動機へ送信されない可能性がある。多数の着移動機から返信される複数の１８０  Ｒｉｎｇｉｎｇ信号に対して最初の１つの１８０  Ｒｉｎｇｉｎｇ信号だけが発移動機へ送信されるシステム構成となっていた場合、残りの着移動機に関する送達結果を発移動機へ通知できなくなる。
【００４９】
そこで、本実施の形態では、１８０  Ｒｉｎｇｉｎｇ信号を用いないで、ＮＯＴＩＦＹ信号を用いることにより、各着移動機又は着側ＣＳＣＦ（２）からの送達結果を個別に発移動機へ送信できるようにシステム構成している。これにより、全ての着移動機の送達結果を発移動機へ個別に通知することができる。
【００５０】
一方、着側ＳＩＰサーバ４−２の着側ＣＳＣＦ（２）において、ステップＲ１の対応機能判定で着移動機が「プッシュトーク着信時のメッセージ表示対応不可」又は「プッシュトーク対応不可」であると判明した場合は、図３中に点線で示すシーケンスで着側ＣＳＣＦ（２）が代わりに送達結果を発移動機（ＵＥ１）へ送信する。
【００５１】
「プッシュトーク着信時のメッセージ表示対応不可」の移動端末及び「プッシュトーク対応不可」の移動端末の場合には、着側ＣＳＣＦ（２）が着移動機において着信画面にメッセージ情報が表示されないことを示す送達結果ＮＧを、ＮＯＴＩＦＹ信号を用いて発側ＳＩＰサーバ４−１のＣＳＣＦ（１）へ通知する。発側ＳＩＰサーバ４−１のＣＳＣＦ（１）は、送達結果ＮＧの付加されたＮＯＴＩＦＹ信号を発移動機（ＵＥ１）へ送信する。なお、着移動機が圏外である場合にも、着側ＳＩＰサーバの着側ＣＳＣＦ（２）から発側ＣＳＣＦ（１）へ送達結果ＮＧのＮＯＴＩＦＹ信号が送信される。
【００５２】
発移動機（ＵＥ１）では、送達結果ＯＫの場合と同様に、通知された送達結果を認識して、呼出し中表示の端末画面に該当着移動機に対する送達結果を表示させる。
【００５３】
ところで、着側ＣＳＣＦ（２）においてステップＲ１の対応機能判定で、着移動機が「プッシュトーク対応可」で「プッシュトーク着信時のメッセージ表示対応不可」であった場合は、メッセージ情報付きＩＮＶＩＴＥ信号を着移動機へ転送することになる。この場合、「プッシュトーク着信時のメッセージ表示対応不可」であるので送達結果は着移動機からは返信されないが、上述した通り着側ＣＳＣＦ（２）が代わりに送信しているので発移動機（ＵＥ１）では送達結果を確認できることになる。また、着側ＣＳＣＦ（２）が送達結果の返信を代行する場合であっても、着移動機へはＩＮＶＩＴＥ信号が通知されるのでＰＴＴ着信は正常に行われることになる。
【００５４】
このように、着側ＣＳＣＦ（２）においてステップＲ１の対応機能判定を行い、着移動機が「プッシュトーク着信時のメッセージ表示対応不可」又は「プッシュトーク対応不可」の場合には、着側ＣＳＣＦ（２）が着移動機の代わりに送達結果ＮＧを発側ＳＩＰサーバ４−１へ返信するようにしたので、着移動機においてメッセージ情報を解釈しようとしてエラーが発生したり、誤った送達結果が返信されたりするといった不具合を防止することができる。
【００５５】
図４は着移動機（ＵＥ２）が「プッシュトーク着信時のメッセージ表示対応可」であるが表示不可に設定していた場合のシーケンス図である。なお、図３に示すシーケンス図と同一部分は一部省略している。
【００５６】
着側ＳＩＰサーバ４−２のＣＳＣＦ（２）は、ステップＲ１の対応機能判定を行い、「プッシュトーク着信時のメッセージ表示対応可」の場合にはメッセージ情報付きＩＮＶＩＴＥ信号を着移動機（ＵＥ２）へ転送する。
【００５７】
ここでは、着移動機（ＵＥ２）は「プッシュトーク着信時のメッセージ表示対応可」であるが、ユーザの端末設定によって着信画面へのメッセージ情報を表示させない設定内容になっているものとする。端末設定は他の設定情報と共にメモリに保存されていて、ユーザによる端末設定操作で変更可能に構成されている。
【００５８】
着移動機（ＵＥ２）はメッセージ情報付きＩＮＶＩＴＥ信号を受信して解釈し、メッセージ情報が付加されていることを認識する。そして、端末設定内容を確認してメッセージ情報を表示させない設定内容であると認識すると（ステップＱ１）、ステップＱ２をスキップしてメッセージ情報を端末画面に表示させないで、ＮＯＴＩＦＹ信号を用いて送達結果ＮＧを発側ＳＩＰサーバ４−２のＭＲＦへ通知する（ステップＱ３）。
【００５９】
発側ＳＩＰサーバ４−２のＭＲＦでは、ＮＯＴＩＦＹ信号で通知された送達結果を判定し、送達結果ＮＧであればメッセージ情報表示による請求は発行しない（ステップＴ３）。そして、送達結果ＮＧであることを、ＮＯＴＩＦＹ信号を用いて発移動機（ＵＥ１）へ通知する。
【００６０】
このように、ユーザの端末設定によって着信時のメッセージ情報を表示させない設定内容になっている着移動機へメッセージ情報付きＩＮＶＩＴＥ信号を送信した場合も、送達結果ＮＧが発移動機（ＵＥ１）へ返信されて端末画面に送達結果を表示させることができる。
【００６１】
図６はＰｏＣ通信時における発移動機の端末画面の表示例を示す図である。図６に示すように、発信直後の発信中端末画面Ｍ１には、ＰＴＴに参加要請するメンバーのリスト情報３１と、リストに含まれた各メンバーの着移動機の状況情報３２とを対応させて表示すると共に画面下方に発信者が入力したメッセージ情報３３（重要）を表示する。その後、呼出中端末画面Ｍ２に遷移して、着移動機又は着側ＣＳＣＦ（２）から送達結果を受信すると、発信者が送信したメッセージ情報が各着移動機に届いたか否かを示す送達結果情報３４を表示する。端末画面Ｍ２において×印は送達結果ＮＧを示し、鉛筆マークは送達結果ＯＫを示す
【００６２】
図７はＰＴＴ通信時における着移動機の端末画面の表示例を示す図である。図７に示すように、発信者が送信したメッセージ情報である文字情報「重要！」４１が着信画面に表示されている。また、着信画面には今回選択されているメンバー名４３及び応答状況４４が表示されるようにしている。発信者が表示されるようにしても良い。
【図面の簡単な説明】
【００６３】
【図１】本発明の一実施の形態におけるＰＴＴサービスを提供する移動体通信システムのネットワーク構成図
【図２】上記実施の形態において無線アクセス網と複数のＳＩＰサーバとの対応関係を示すネットワーク構成図
【図３】上記実施の形態において発移動機がＰＴＴ発信してから送達結果ＯＫが通知されるまでのシーケンス図
【図４】上記実施の形態において発移動機がＰＴＴ発信してから送達結果ＮＧが通知されるまでのシーケンス図
【図５】上記実施の形態において着移動機の機能判定表の説明図
【図６】ＰＴＴ通信時における発移動機の端末画面の表示例を示す図
【図７】ＰＴＴ通信時における着移動機の着信画面の表示例を示す図
【符号の説明】
【００６４】
１…ＰｏＣ端末
２…無線アクセス網
３…ＲＮＣ
４…ＳＩＰサーバ
６…ＣＳＣＦ
７…ＭＲＦＣ
８…ＭＲＦＰ
９…ＨＳＳ
１１…ＰｏＣサーバ
１２…ＡＳ（ＰｏＣ）
１３…ＧＬＭＳ
【図１】
2008136088.tif 000003
【図２】
2008136088.tif 000004
【図３】
2008136088.tif 000005
【図４】
2008136088.tif 000006
【図５】
2008136088.tif 000007
【図６】
2008136088.tif 000008
【図７】
2008136088.tif 000009